(57)【要約】    【課題】  簡単な構成で被写体の位置を特定することができる光学機器システムを提供する。    【解決手段】  光学機器システムを間欠的な信号を出力する送信部と電子カメラ２０とで構成する。間欠的な信号は電子カメラ２０の撮像部に達し、表示部２３に被写体Ｍの位置を示すマーク２６が表示される。【選択図】        図４
2006304050.tif 000002
【特許請求の範囲】
【請求項１】
間欠的な信号を出力する対象特定手段と、
前記対象特定手段を備えた対象を含む像を表示する表示手段と、
前記対象特定手段からの間欠的な信号に基いて前記表示手段に前記対象の位置を示す目印を表示する制御手段と
を備えていることを特徴とする光学機器システム。
【請求項２】
前記対象特定手段は赤外光を発する発光部と、前記発光部を間欠的に発光させる発光制御部とを備えていることを特徴とする請求項１記載の光学機器システム。
【請求項３】
前記対象特定手段は、前記間欠的な信号を入力し、この入力方向と反対方向へ出力する素子であることを特徴とする請求項１記載の光学機器システム。
【請求項４】
前記素子はコーナーキューブであることを特徴とする請求項３記載の光学機器システム。
【請求項５】
前記対象特定手段からの信号が切れたタイミングで前記対象を含む像を取得する撮像手段を備えていることを特徴とする請求項１〜４のいずれか１項記載の光学機器システム。
【発明の詳細な説明】
【技術分野】
【０００１】
この発明は光学機器システムに関する。
【背景技術】
【０００２】
従来、移動する被写体を確実に撮影することができる撮影装置として特開２００２−３１４８５１号公報に記載されたものが知られている。この撮影装置を使用するには、被写体にＧＰＳ等で構成された被写体位置検出部を取り付ける必要がある。この撮影装置は無線により被写体位置検出部から受信した被写体位置と、自ら検出した撮影装置の位置及び姿勢とから、撮影画面に対する被写体像の位置と撮影装置から被写体までの距離とを演算する演算部と、ファインダ画面上に被写体像の位置や方向を示すマークを表示する目標表示部とを備えている。
【特許文献１】特開２００２−３１４８５１号公報
【発明の開示】
【発明が解決しようとする課題】
【０００３】
上記撮影装置には、被写体の位置を特定するのに被写体からの信号だけでなく人工衛星からの信号を受信する装置が必要であり、構成が複雑であるため、撮影装置の部品点数が多くなり、製造コストが高くなるという問題があった。
【０００４】
この発明はこのような事情に鑑みてなされたもので、その課題は簡単な構成で被写体の位置を特定することができる光学機器システムを提供することである。
【課題を解決するための手段】
【０００５】
前述の課題を解決するため請求項１記載の発明は、間欠的な信号を出力する対象特定手段と、前記対象特定手段を備えた対象を含む像を表示する表示手段と、前記対象特定手段からの間欠的な信号に基いて前記表示手段に前記対象の位置を示す目印を表示する制御手段とを備えていることを特徴とする。
【０００６】
請求項２記載の発明は、請求項１記載の光学機器システムにおいて、前記対象特定手段は赤外光を発する発光部と、前記発光部を間欠的に発光させる発光制御部とを備えていることを特徴とする。
【０００７】
請求項３記載の発明は、請求項１記載の光学機器システムにおいて、前記対象特定手段は、前記間欠的な信号を入力し、この入力方向と反対方向へ出力する素子であることを特徴とする。
【０００８】
請求項４記載の発明は、請求項３記載の光学機器システムにおいて、前記素子はコーナーキューブであることを特徴とする。
【０００９】
請求項５記載の発明は、請求項１〜４のいずれか１項記載の光学機器システムにおいて、前記対象特定手段からの信号が切れたタイミングで前記対象を含む像を取得する撮像手段を備えていることを特徴とする。
【発明の効果】
【００１０】
この発明によれば簡単な構成で対象の位置を表示上で特定することができる。
【発明を実施するための最良の形態】
【００１１】
以下、この発明の実施の形態を図面に基づいて説明する。
【００１２】
図１はこの発明の第１実施形態に係る光学機器システムを説明するためのブロック図である。
【００１３】
この光学機器システムは送信部（対象特定手段）１０と電子カメラ２０とを備えている。
【００１４】
送信部１０は後述の間欠的な信号を出力する。送信部１０は被写体（対象）Ｍに保持されている。
【００１５】
電子カメラ２０は撮像部（撮像手段）２１と制御部（制御手段）２２と表示部（表示手段）２３と撮影レンズ２４とを備えている。
【００１６】
撮像部２１としては例えばＣＣＤ（Ｃｈａｒｇｅ  Ｃｏｕｐｌｅｄ  Ｄｅｖｉｃｅ）を用いることができる。ＣＣＤは撮影レンズ２４を通った被写体Ｍからの光を受光し、映像信号に変換する。ＣＣＤは人間の目で検出可能な波長の光（可視光）より長波長の赤外光を検出することができる。
【００１７】
撮影レンズ２４と撮像部２１との間の光軸上には特定の波長だけを通す赤外カットフィルタ（図示せず）が配置され、赤外光の一部がカットされる。なお、図１には１つのレンズで撮影レンズ２４が描かれているが、実際には複数のレンズで撮影レンズ２１が構成される。  
制御部２２としては例えばマイコンが用いられる。制御部２２はバッテリ（図示せず）からの電力供給を受けて動作し、撮像部２１の出力に基いて表示部２３に被写体Ｍの位置を示すマーク２６（後述）を表示させる。
【００１８】
表示部２３としては例えば液晶パネルを用いることができる。
【００１９】
なお、電子カメラ２０内に被写体Ｍからの光量を調節するための図示しない絞りや遮光のためのメカニカルシャッタ等を設けることもできる。
【００２０】
図２は送信部を説明するための図である。
【００２１】
送信部１０は発光部１１と発光制御部１２とを備えている。
【００２２】
発光部１１は発光素子である。発光部１１として、例えば可視光（波長：４００〜７５０ｎｍ）や人間の目で検知できない赤外光（波長：７５０ｎｍ〜１０００μｍ）を放射するＬＥＤ（Ｌｉｇｈｔ  Ｅｍｉｔｔｉｎｇ  Ｄｉｏｄｅ）が用いられる。この実施形態では、波長８５０ｎｍの赤外光を放射する赤外線発光ＬＥＤが発光部１１として用いられている。
【００２３】
発光制御部１２は図示しない送信用ＩＣ、発振回路、バッテリ、押しボタン（図示せず）等を備える。押しボタンが押されたとき、発振回路の動作が開始される。例えば４５５ｋＨｚ付近のセラミック振動子を使い、１／１２分周して３８ｋＨｚ付近の信号を得て、これにより赤外光を振幅変調する。発光部１１から送る信号データは３８ｋＨｚ付近の信号で振幅変調した赤外光を２値のデジタルデータとして点滅を繰り返すようにして作られる。  なお、太陽や白熱電球の光には赤外光が多く含まれているが、高い変調成分はほとんどない。上述のように赤外光は３８ｋＨｚ付近の信号で振幅変調されているので、信号データと周囲の赤外光とを容易に分離、区別できる。
【００２４】
図３は電子カメラを斜め後方から見た斜視図である。
【００２５】
電子カメラ２０の上面にはシャッタレリーズを行うためのレリーズボタン２５が配置されている。
【００２６】
撮影された像を表示する表示部２３は電子カメラ２０の背面に配置されている。
【００２７】
制御部２２（図１参照）は赤外光の点滅を検知したとき、被写体Ｍの位置を示すマーク（目印）２６を表示部２３に表示（スーパーインポーズ）させる。マーク２６は例えば輝点２７とこの輝点２７を包囲する４つの三角形２６Ａとで構成される。
【００２８】
なお、点滅する赤外光は輝点２７は撮影者が認識できるように表示部２３の画面上の輝点２７が送信部１０から送られてきた信号（赤外光の点滅）と同じ時間間隔で点滅する。
【００２９】
電子カメラ２０の側面にはメモリカードやＰＣカード等の記録媒体を装着するためのスロット２８が配置されている。
【００３０】
次に、上記光学機器システムの動作について説明する。
【００３１】
図４は表示部の拡大図である。
【００３２】
図４に示すように送信部１０を保持した被写体Ｍは大勢の人の中にまぎれ込んでいる。被写体Ｍが送信部１０の押しボタンを押したとき、発光部１１から赤外光が間欠的に出力される。
【００３３】
発光部１１から出力された間欠的な赤外光は撮影レンズ２４を通して撮像部２１に達し、表示部２３に被写体Ｍの位置を示すマーク２６として、点滅する輝点２７とこれを包囲する三角形２６Ａとが表示される。
【００３４】
マーク２６によって被写体Ｍを特定した撮影者がレリーズボタン２５（図３参照）を押せば、被写体Ｍからの光束が撮影レンズ２４を通って撮像部２１に結像し、撮影が行われる。なお、撮影は送信部１０からの信号が切れたタイミングで行われる。
【００３５】
この実施形態によれば、被写体Ｍが大勢の人の中にまぎれ込んでいて、その被写体Ｍを特定し難いような場合であっても、撮影者はマーク２６によって被写体Ｍをすみやかに特定することができる。
【００３６】
なお、被写体Ｍを特定したとき、自動的に被写体Ｍにピントを合わせる機能をカメラ２０に持たせる（例えば、ピントが合ったときの映像信号の高周波成分が最大になるＣＣＤの特性を利用する）ことによって、被写体Ｍの特定後に行われる手動による撮影者のピント合わせの操作を不要にできる。
【００３７】
その結果、電子カメラ２０の操作に不慣れな撮影者であっても良好な撮影を容易に行うことができる。
【００３８】
また、上記実施形態では光軸上に配置した赤外線カットフィルタによって赤外光の一部をカットするようにしたが、フィルタ選択レバー（図示せず）によって赤外線カットフィルタを選択的に光軸上に配置することができるようにしてもよい。これにより、被写体Ｍが遠く離れていても、送信部１０からの赤外光をより多くＣＣＤ（撮像部２１）に受光させることができ、確実に被写体Ｍの位置を特定することができる。
【００３９】
図５はこの発明の第２実施形態に係る光学機器システムを説明するためのブロック図であり、第１実施形態と共通する部分には同一符号を付してその説明を省略する。
【００４０】
この光学機器システムはコーナーキューブプリズム（以下ＣＣＰという）（対象特定手段、素子）１１０と電子カメラ１２０とを備えている。
【００４１】
ＣＣＰ１１０は電子カメラ１２０から出力された間欠的な信号を電子カメラ１２０へ向けて反射させる素子である。
【００４２】
電子カメラ１２０は撮像部２１と制御部（制御手段）１２２と表示部２３と撮影レンズ２４と発光部１２５とを備えている。
【００４３】
制御部１２２としては例えばマイコンを用いることができる。制御部１２２はバッテリ（図示せず）からの電力供給を受けて動作し、予め決められた手順で撮影情報や画像信号を処理する。
【００４４】
発光部１２５は図示しない赤外線発光ＬＥＤ、送信用ＩＣ、発振回路等を備えている。発光部１２５はバッテリに接続されている。赤外線発光ＬＥＤは例えば波長８５０ｎｍの赤外光を放射する。発光部１２５の動作は一定の時間間隔で赤外線発光ＬＥＤが点滅を繰り返すように制御部１２２によって制御される。
【００４５】
図６はコーナーキューブプリズムを説明するための図である。
【００４６】
ＣＣＰ１１０は互いに直交する３つの反射面を有する。反射光ＲＢは入射光ＥＢが入射面１１０Ａのある範囲で入射すれば、その入射光ＥＢがどの方向から入射しても常に反対方向へ向かう（１８０°偏向する）。例えば矢印ａで示す方向から入射した入射光ＥＢは矢印ｂで示す方向（入射光と反対方向）へ反射光ＲＢとして出射する。
【００４７】
次に、上記光学機器システムの動作について説明する。
【００４８】
ＣＣＰ１１０を保持した被写体Ｍが大勢の人の中にまぎれ込んでいるものとする。ＣＣＰ１１０に電子カメラ１２０を向け、電子カメラ１２０へ向けて発光部１２５から赤外光を間欠的に放射する。ＣＣＰ１１０に入射した赤外光はＣＣＰ１１０で入射光と反対方向（発光部１２５へ向かう方向）へ反射される。電子カメラ１２０に入射した赤外光は撮影レンズ２４を通して撮像部２１に達し、表示部２３にマーク２６が表示される。
【００４９】
マーク２６によって被写体Ｍを特定した撮影者がレリーズボタン２５（図３参照）を押せば、被写体Ｍからの光束が撮影レンズ２４を通って撮像部２１に結像し、撮影が行われる。なお、撮影は送信部１０からの信号が切れたタイミングで行われる。
【００５０】
この実施形態によれば、第１実施形態と同様の効果を奏する。
【００５１】
なお、上記実施形態では対象特定手段としてＣＣＰ１１０を一例として挙げたが、入射した光を反対方向へ反射させることができる素子であれば、これに限定されず、例えば自転車等に取り付けられるリフレクタ等を用いてもよい。
【００５２】
また、上記各実施形態では赤外光を使った例を説明したが、間欠的な信号を出力する対象特定手段又は送信手段として例えば超音波を使ってもよい。
【００５３】
更に、上記各実施形態では撮像部２１としてＣＣＤを一例として挙げたが、撮像部２１はこれに限られるものではなく、例えばＭＯＳ（Ｍｅｔａｌ  Ｏｘｉｄｅ  Ｓｅｍｉｃｏｎｄｕｃｔｏｒ）型センサ等を用いてもよい。
【００５４】
また、上記各実施形態は電子カメラを使った例を説明したが、例えばビデオカメラを使ってもよい。
【図面の簡単な説明】
【００５５】
【図１】図１はこの発明の第１実施形態に係る光学機器システムを説明するためのブロック図である。
【図２】図２は送信部を説明するための図である。
【図３】図３は電子カメラを斜め後方から見た斜視図である。
【図４】図４は表示部の拡大図である。
【図５】図５はこの発明の第２実施形態に係る光学機器システムを説明するためのブロック図である。
【図６】図６はコーナーキューブプリズムを説明するための図である。
【符号の説明】
【００５６】
１０：送信部（対象特定手段）、１１：発光部、１２：発光制御部、２１：撮像部（撮像手段）、２２，１２２：制御部（制御手段）、２３：表示部（表示手段）、１１０：ＣＣＰ（対象特定手段）、Ｍ：被写体（対象）
【図１】
2006304050.tif 000003
【図２】
2006304050.tif 000004
【図３】
2006304050.tif 000005
【図４】
2006304050.tif 000006
【図５】
2006304050.tif 000007
【図６】
2006304050.tif 000008